(57)【要約】【課題】炬燵用の暖気逃げ防止性能と温暖期の通気性とを正確かつ容易に切り替えることができる椅子を提供する。【解決手段】椅子10の脚部14，15，16，17のうちの後側２本の脚部15，16間に閉塞板21を固定し、左側２本の脚部14，15間の座部側縁および右側２本の脚部16，17間の座部側縁にそれぞれの内側に取り付けられたヒンジにより、左右の暖気逃げ防止板22，23を、左右の脚部14，15間および脚部16，17間から座部下面側へそれぞれ折込可能に設ける。左右の暖気逃げ防止板22，23および枠部材24には、左右の暖気逃げ防止板22，23を座部下面側に折り込んで開いた状態と左右の脚部14，15間および脚部16，17間に下げて閉じた状態とにそれぞれ保持するマグネットキャッチや開閉位置保持型ヒンジなどの開閉位置保持機構を設ける。【選択図】図１
0003160979.tif 000002
【実用新案登録請求の範囲】
【請求項１】
座部の下側に４本の脚部を備えた椅子本体と、
上記４本の脚部のうちの後側２本の脚部間に固定された閉塞板と、
上記４本の脚部のうちの左側２本の脚部間の座部側縁および右側２本の脚部間の座部側縁にそれぞれの内側に取り付けられたヒンジにより左右の脚部間から座部下面側へそれぞれ折込可能に設けられた左右の暖気逃げ防止板と、
上記左右の暖気逃げ防止板を座部下面側に折り込んで開いた状態と左右の脚部間に下げて閉じた状態とにそれぞれ保持する開閉位置保持機構と
を具備したことを特徴とする椅子。
【請求項２】
開閉位置保持機構は、
座部下面側に設けられたマグネットと、
上記マグネットに吸着される位置で左右の暖気逃げ防止板にそれぞれ設けられ左右の脚部間に閉じられた左右の暖気逃げ防止板を左右の脚部間にそれぞれ係止する吸磁性ストッパと、
左右の脚部間の座部側縁と左右の暖気逃げ防止板との間にそれぞれ設けられ左右の暖気逃げ防止板が座部下面側に折り込まれて開いた状態と左右の脚部間に下げられて閉じた状態とをそれぞれスプリングにより維持しようとする機能を備えた開閉位置保持型ヒンジと
を具備したことを特徴とする請求項１記載の椅子。
【考案の詳細な説明】
【技術分野】
【０００１】
本考案は、一般用および炬燵用に併用可能な椅子に関する。
【背景技術】
【０００２】
図６に示されるように、テーブル式炬燵１などに用いる椅子２は、その椅子２の複数の脚部３，３間から暖気４が外部へ逃げてしまい、暖気逃げ防止性能に欠けるので、そのままでは暖房用の炬燵用椅子としては適さない。そこで、従来は、このような炬燵用椅子の脚部構造として、複数の脚板を組み合わせて炬燵の暖気が外部へ逃げないようにしたものもあるが、このような椅子は、複数の脚板が通気性を阻害するので、温暖期にダイニングチェアなどとして用いる場合には適さない。
【０００３】
そこで、炬燵用の暖気逃げ防止性能を確保するとともに温暖期は通気性を確保する切替のために、炬燵本体や椅子に足元からの暖気逃げを防止するトンネル状幕を取り付けたり（例えば、特許文献１参照）、椅子の３方の脚部間を、面ファスナで取り付けられた閉塞シートで塞ぐようにしたものがある（例えば、特許文献２参照）。
【先行技術文献】
【特許文献】
【０００４】
【特許文献１】特開平９−１３７９４７号公報（第３頁、図１−６）
【特許文献２】特開２００９−１１８９０５号公報（第４−５頁、図１）
【考案の概要】
【考案が解決しようとする課題】
【０００５】
炬燵本体や椅子にトンネル状幕を取り付けたり、椅子の３方の脚部間を閉塞シートで塞ぐものは、見映えや耐久性の点で難があるとともに、トンネル状幕や閉塞シートを脱着する方式は、それらを取り外したときの保管上の問題や、装着するときの正確性に個人差が生じやすく、炬燵用の暖気逃げ防止性能と温暖期の通気性とを正確かつ容易に切り替えることが困難である。
【０００６】
本考案は、このような点に鑑みなされたもので、炬燵用の暖気逃げ防止性能と温暖期の通気性とを正確かつ容易に切り替えることができる椅子を提供することを目的とする。
【課題を解決するための手段】
【０００７】
請求項１に記載された考案は、座部の下側に４本の脚部を備えた椅子本体と、上記４本の脚部のうちの後側２本の脚部間に固定された閉塞板と、上記４本の脚部のうちの左側２本の脚部間の座部側縁および右側２本の脚部間の座部側縁にそれぞれの内側に取り付けられたヒンジにより左右の脚部間から座部下面側へそれぞれ折込可能に設けられた左右の暖気逃げ防止板と、上記左右の暖気逃げ防止板を座部下面側に折り込んで開いた状態と左右の脚部間に下げて閉じた状態とにそれぞれ保持する開閉位置保持機構とを具備した椅子である。
【０００８】
請求項２に記載された考案は、請求項１記載の椅子における開閉位置保持機構が、座部下面側に設けられたマグネットと、上記マグネットに吸着される位置で左右の暖気逃げ防止板にそれぞれ設けられ左右の脚部間に閉じられた左右の暖気逃げ防止板を左右の脚部間にそれぞれ係止する吸磁性ストッパと、左右の脚部間の座部側縁と左右の暖気逃げ防止板との間にそれぞれ設けられ左右の暖気逃げ防止板が座部下面側に折り込まれて開いた状態と左右の脚部間に下げられて閉じた状態とをそれぞれスプリングにより維持しようとする機能を備えた開閉位置保持型ヒンジとを具備したものである。
【考案の効果】
【０００９】
請求項１記載の考案によれば、後側２本の脚部間に閉塞板を固定し、左側２本の脚部間の座部側縁および右側２本の脚部間の座部側縁にそれぞれの内側に取り付けられたヒンジにより左右の暖気逃げ防止板を、左右の脚部間から座部下面側へそれぞれ折込可能に設け、開閉位置保持機構により座部下面側に折り込んで開いた状態と左右の脚部間に下げて閉じた状態とにそれぞれ保持するので、左右の暖気逃げ防止板を閉じることで左右前後４方の脚部間のうち３方を閉じることにより炬燵用椅子として用いる場合の暖気逃げ防止性能を確保でき、左右の暖気逃げ防止板を座部下面側へ折り込むようにして開くことで左右前後４方の脚部間のうち３方を開くことにより温暖期に通常のダイニングチェアなどとして用いる場合の通気性を確保でき、後側の閉塞板および左右の暖気逃げ防止板を脱着することなく、炬燵用の暖気逃げ防止性能と温暖期の通気性とを正確かつ容易に切り替えることができる。
【００１０】
請求項２記載の考案によれば、炬燵用の暖気逃げ防止性能と温暖期の通気性とを正確かつ容易に切り替えることができるとともに、マグネットおよび吸磁性ストッパにより構成されたマグネットキャッチと、開閉位置保持型ヒンジとにより暖気逃げ防止板が座部下面側に折り込まれて開いた状態を確実に維持でき、かつ、吸磁性ストッパと開閉位置保持型ヒンジとにより暖気逃げ防止板が脚部間に下げられて閉じた状態を確実に維持できる。
【図面の簡単な説明】
【００１１】
【図１】本考案に係る椅子の一実施の形態を示す暖気逃げ防止性能確保時の斜視図である。
【図２】同上椅子の通気性確保時の斜視図である。
【図３】同上椅子の暖気逃げ防止性能確保時の底面側斜視図である。
【図４】同上椅子の通気性確保時の底面側斜視図である。
【図５】同上椅子の暖気逃げ防止性能確保時の使用状態斜視図である。
【図６】従来の炬燵用椅子の使用状態斜視図である。
【考案を実施するための形態】
【００１２】
以下、本考案を、図１乃至図５に示された一実施の形態に基いて詳細に説明する。
【００１３】
図１および図２に示されるように、この椅子10は、椅子本体11が、座部12と、この座部12の後部上に設けられ背もたれ13と、座部12の４隅から下側に設けられた４本の脚部14，15，16，17とを備え、脚部14，15間には横桟木18が，脚部16，17間には横桟木19がそれぞれ設けられている。
【００１４】
さらに、上記４本の脚部14，15，16，17のうちの後側２本の脚部15，16間に閉塞板21が固定され、上記４本の脚部14，15，16，17のうちの向かって左側２本の脚部14，15間の座部側縁および右側２本の脚部16，17間の座部側縁にそれぞれの内側に取り付けられたヒンジにより、左右の暖気逃げ防止板22，23が、左右の脚部14，15間および脚部16，17間から座部下面側へそれぞれ折込可能に設けられている。
【００１５】
図３および図４に示されるように、座部下面側には、枠部材24と補強部材25とが設けられ、左右の暖気逃げ防止板22，23および枠部材24には、左右の暖気逃げ防止板22，23を座部下面側に折り込んで開いた状態と左右の脚部14，15間および脚部16，17間に下げて閉じた状態とにそれぞれ保持する開閉位置保持機構26が設けられている。補強部材25は、図４に示されるように座部下面側に折り込まれて開いた左右の暖気逃げ防止板22，23の受け部材も兼ねている。
【００１６】
開閉位置保持機構26は、座部下面側に１対のマグネット27が設けられ、これらのマグネット27にそれぞれ吸着される位置で左右の暖気逃げ防止板22，23に吸磁性ストッパ28がそれぞれ設けられ、マグネットキャッチが構成されている。これらの吸磁性ストッパ28には、図３に示されるように左右の脚部14，15間および脚部16，17間に閉じられた左右の暖気逃げ防止板22，23を後側２本の脚部15，16にそれぞれ係止する係止面29もそれぞれ設けられている。
【００１７】
さらに、開閉位置保持機構26は、左右の脚部14，15間および脚部16，17間の座部側縁に位置する枠部材24の内側面と左右の暖気逃げ防止板22，23との間にそれぞれ設けられた開閉位置保持型ヒンジ30を備えている。これらの開閉位置保持型ヒンジ30は、家具などの扉に用いられるものであり、左右の暖気逃げ防止板22，23が座部下面側に折り込まれて開いた状態と、左右の脚部14，15間および脚部16，17間に下げられて閉じた状態とを、内蔵されたスプリングおよびストッパによりそれぞれ維持しようとする機能を備えている。
【００１８】
次に、図示された実施の形態の作用効果を説明する。
【００１９】
図５に示されるように、本椅子10をテーブル式炬燵31の椅子として用いる場合は、図１に示されるように左右の暖気逃げ防止板22，23を左右の脚部14，15間および脚部16，17間に閉じることで左右前後４方の脚部14，15，16，17間のうち３方を閉じることにより、炬燵内暖気が外部に逃げることを防止して暖気逃げ防止性能を確保する。
【００２０】
このとき、左右の横桟木18，19は、単に脚部14，15，16，17の耐久性を上げるだけでなく、暖気逃げを防止する作用効果も有している。
【００２１】
この暖気逃げ防止時は、図３に示されるように左右の暖気逃げ防止板22，23にそれぞれ設けられた吸磁性ストッパ28を座部12の下面側に設けられた各マグネット27からそれぞれ引き離すとともに、これらの吸磁性ストッパ28の係止面29を後側２本の脚部15，16に係合させた状態で、開閉位置保持型ヒンジ30内のスプリングが左右の暖気逃げ防止板22，23を脚部14，15間および脚部16，17間に維持しようとする付勢力を、左右部の吸磁性ストッパ28，28と脚部15，16との間に作用させて、左右の暖気逃げ防止板22，23が下げられて閉じた状態を維持する。
【００２２】
一方、温暖期に通常のダイニングチェアなどとして用いる場合は、図２に示されるように左右の暖気逃げ防止板22，23を座部下面側へ折り込むようにして開くことで、左右前後４方の脚部14，15，16，17間のうち３方を開くことにより左右方向の通気性、左右から前方へ抜ける通気性および前方から左右へ抜ける通気性を確保する。
【００２３】
この通気性確保時は、開閉位置保持型ヒンジ30内のスプリングが左右の暖気逃げ防止板22，23を座部12の下面側に維持しようとする付勢力を利用しつつ、図４に示されるように左右の暖気逃げ防止板22，23に設けられた吸磁性ストッパ28を座部12の下面側に設けられたマグネット27により吸着保持し、左右の暖気逃げ防止板22，23が折り込まれて開いた状態を維持する。
【００２４】
このように、後側２本の脚部15，16間に閉塞板21を固定し、向かって左側２本の脚部14，15間の座部側縁および右側２本の脚部16，17間の座部側縁にそれぞれの内側に取り付けられたヒンジにより左右の暖気逃げ防止板22，23を、左右の脚部14，15間および脚部16，17間から座部下面側へそれぞれ折込可能に設け、開閉位置保持機構26により座部下面側に折り込んで開いた状態と左右の脚部14，15間および脚部16，17間に下げて閉じた状態とにそれぞれ保持するので、左右の暖気逃げ防止板22，23を閉じることで左右前後４方の脚部14，15，16，17間のうち３方を閉じることにより、炬燵用椅子として用いる場合の暖気逃げ防止性能を確保でき、また、左右の暖気逃げ防止板22，23を座部下面側へ折り込むようにして開くことで左右前後４方の脚部14，15，16，17間のうち３方を開くことにより、温暖期に通常のダイニングチェアなどとして用いる場合の通気性を確保でき、後側の閉塞板21および左右の暖気逃げ防止板22，23を脱着することなく、炬燵用の暖気逃げ防止性能と温暖期の通気性とを正確かつ容易に切り替えることができる。
【００２５】
さらに、上記のように炬燵用の暖気逃げ防止性能と温暖期の通気性とを正確かつ容易に切り替えることができるとともに、マグネット27および吸磁性ストッパ28により構成されたマグネットキャッチと、開閉位置保持型ヒンジ30とにより暖気逃げ防止板22，23が座部下面側に折り込まれて開いた状態を確実に維持でき、かつ、吸磁性ストッパ28と開閉位置保持型ヒンジ30とにより暖気逃げ防止板22，23が脚部14，15間および脚部16，17間に下げられて閉じた状態を確実に維持できる。
【産業上の利用可能性】
【００２６】
本考案は、椅子の製造、販売に係る産業において利用できる。
【符号の説明】
【００２７】
10    椅子
11    椅子本体
12    座部
14，15，16，17    脚部
21    閉塞板
22，23    暖気逃げ防止板
26    開閉位置保持機構
27    マグネット
28    吸磁性ストッパ
30    開閉位置保持型ヒンジ
【図１】
0003160979.tif 000003
【図２】
0003160979.tif 000004
【図３】
0003160979.tif 000005
【図４】
0003160979.tif 000006
【図５】
0003160979.tif 000007
【図６】
0003160979.tif 000008